(57)【要約】【課題】箱内の収容物が箱の上端面から飛び出す大きさであってもその内容物を損傷させないように別の箱を積み重ねさせる箱積重ね部材を提供する。【解決手段】箱積重ね部材１００は、前面支持板１０と、後面支持板２０と、右側面支持板３０と、左側面支持板４０と、箱縁挿通部５１および５２とを備える。箱積重ね部材１００は、箱２００の上方から被せることにより箱２００に取り付ける。そして、箱２００の上端に設けられた箱縁２５０ａおよび２５０ｂをそれぞれ箱縁挿通部５１および５２に挿通させて、箱２００から箱重ね部材１００が容易に離れないようにする。箱３００は、箱積重ね部材１００の上方から箱積重ね部材１００内部に挿入することにより設置する。箱３００は、箱縁３５０を介して前面支持板１０と、後面支持板２０と、右側面支持板３０と、左側面支持板４０とにより支持される。【選択図】      図１
0003133494.tif 000002
【実用新案登録請求の範囲】
【請求項１】
第一の箱の上側に第二の箱を積み重ねる際に前記第一の箱と前記第二の箱との間に挿入される箱積重ね部材であって、
前記第二の箱を前記第二の箱の前面側から支持する前面支持板と、
前記第二の箱を前記第二の箱の後面側から支持する後面支持板と、
前記第二の箱を前記第二の箱の右側面側から支持し前記前面支持板および後面支持板とその側端において連結させた右側面支持板と、
前記第二の箱を前記第二の箱の左側面側から支持し前記前面支持板および後面支持板とその側端において連結させた左側面支持板と、
前記前面支持板および後面支持板、または前記右側面支持板および左側面支持板の所定の位置に設けられた前記第一の箱の上端の箱縁を挿通させる箱縁挿通部と
を具備することを特徴とする箱積重ね部材。
【請求項２】
前記前面支持板、後面支持板、右側面支持板および左側面支持板は段ボールにより構成され、
前記前面支持板と前記右側面支持板および左側面支持板とが連結された部分である前面支持板連結部、並びに前記後面支持板と前記右側面支持板および左側面支持板とが連結された部分である後面支持板連結部に沿って前記前面支持板と前記右側面支持板または左側面支持板、並びに前記後面支持板と前記右側面支持板または左側面支持板とが重なり合うように折り畳めることを特徴とする請求項１記載の箱積重ね部材。
【請求項３】
前記前面支持板と前記右側面支持板および左側面支持板とが連結された部分である前面支持板連結部、並びに前記後面支持板と前記右側面支持板および左側面支持板とが連結された部分である後面支持板連結部は、
前記前面支持板および後面支持板の両側端に設けられた円筒形状の筒部材と、
前記右側面支持板および左側面支持板の両側端に設けられた円柱形状のピンと
を備え、
前記筒部材に前記ピンを挿入することによって前記前面支持板と前記右側面支持板および左側面支持板、並びに前記後面支持板と前記右側面支持板および左側面支持板とを連結させ、前記前面支持板と後面支持板と前記右側面支持板と左側面支持板とを前記ピンを支点として回動可能としたことを特徴とする請求項１記載の箱積重ね部材。
【考案の詳細な説明】
【技術分野】
【０００１】
本考案は、箱を積み重ねる際に用いられる箱積重ね部材に関し、特に箱の上端面から飛び出す程大きな物体が収容された箱に別の箱を積み重ねる際に用いられる箱積重ね部材に関する。
【背景技術】
【０００２】
植物等を市場に出荷する際、所定の大きさの箱に植物を入れて出荷する。植物を栽培して市場に出荷することを業として行う場合、その出荷量は多く大量の箱を使用する。大量の箱を使用する場合、箱を安定した状態で積み重ねることができれば、一度の輸送で植物を入れた箱を大量に輸送することができるため、輸送コストを低減することが可能となる。従来、箱を積み重ねる構造として、箱の上端部にＬ字形状の縁部材と角部材を設けた構造が提案されていた（例えば、特許文献１参照。）。
【特許文献１】特開平０９−１６５０４０（図２）
【考案の開示】
【考案が解決しようとする課題】
【０００３】
しかしながら、上記の箱の上端部にＬ字形状の縁部材と角部材を設けた構造の箱の場合、その箱に収容された内容物が箱の上端面から飛び出す大きさの場合、そのまま別の箱を積み重ねるとその内容物が損傷してしまう可能性がある。その内容物が損傷してしまうともはやその内容物には商品価値がなくなる。
【０００４】
そこで、本考案は、箱内の収容物が箱の上端面から飛び出す大きさであってもその内容物を損傷させないように別の箱を積み重ねさせる箱積重ね部材を提供することを目的とする。
【課題を解決するための手段】
【０００５】
上記課題を解決するため、本考案の箱積重ね部材は  第一の箱の上側に第二の箱を積み重ねる際に上記第一の箱と上記第二の箱との間に挿入される箱積重ね部材であって、上記第二の箱を上記第二の箱の前面側から支持する前面支持板と、上記第二の箱を上記第二の箱の後面側から支持する後面支持板と、上記第二の箱を上記第二の箱の右側面側から支持し上記前面支持板および後面支持板とその側端において連結させた右側面支持板と、上記第二の箱を上記第二の箱の左側面側から支持し上記前面支持板および後面支持板とその側端において連結させた左側面支持板と、上記前面支持板および後面支持板、または上記右側面支持板および左側面支持板の所定の位置に設けられた上記第一の箱の上端の箱縁を挿通させる箱縁挿通部とを具備することを特徴とするものである。これにより、箱内の収容物が箱の上端面から飛び出す大きさであってもその内容物を損傷させないように別の箱を積み重ねさせるという作用をもたらす。
【０００６】
また、本考案の箱積重ね部材において、上記前面支持板、後面支持板、右側面支持板および左側面支持板は段ボールにより構成され、上記前面支持板と上記右側面支持板および左側面支持板とが連結された部分である前面支持板連結部、並びに上記後面支持板と上記右側面支持板および左側面支持板とが連結された部分である後面支持板連結部に沿って上記前面支持板と上記右側面支持板または左側面支持板、並びに前記後面支持板と前記右側面支持板または左側面支持板とが重なり合うように折り畳めることを特徴とするものである。これにより、本考案の箱積重ね部材をコンパクトにさせるという作用をもたらす。すなわち、本考案の箱積重ね部材を使用しない際には容易に保管することができるという効果をもたらす。
【０００７】
また、本考案の箱積重ね部材において、上記前面支持板と上記右側面支持板および左側面支持板とが連結された部分である前面支持板連結部、並びに上記後面支持板と上記右側面支持板および左側面支持板とが連結された部分である後面支持板連結部は、上記前面支持板および後面支持板の両側端に設けられた円筒形状の筒部材と、上記右側面支持板および左側面支持板の両側端に設けられた円柱形状のピンとを備え、上記筒部材に上記ピンを挿入することによって上記前面支持板と上記右側面支持板および左側面支持板、並びに上記後面支持板と上記右側面支持板および左側面支持板とを連結させ、上記前面支持板と後面支持板と上記右側面支持板と左側面支持板とを上記ピンを支点として回動可能としたことを特徴とするものである。これにより、本考案の箱積重ね部材にどのような材質を用いても箱積重ね部材をコンパクトに折り畳めるという作用をもたらす。
【考案の効果】
【０００８】
本考案によれば、箱内の収容物が箱の上端面から飛び出す大きさであってもその内容物を損傷させないように別の箱を積み重ねることができるという優れた効果を奏し得る。
【考案を実施するための最良の形態】
【０００９】
次に本考案の実施の形態について図面を参照して詳細に説明する。
【００１０】
図１は、本考案の実施の形態における箱重ね部材１００の一例を示す図である。図１（ａ）は、箱積重ね部材１００を用いて箱２００に箱３００を積重ねた様子を示す図である。本考案の実施の形態における箱積重ね部材１００は、箱２００に箱３００を積重ねる際に用いられるものであり、図１（ａ）に示すように箱２００と箱３００との間に挿入して使用する。
【００１１】
すなわち、箱２００の上方から箱２００の全体を覆うように箱重ね部材１００を箱２００に被せて取り付ける。そして、箱重ね部材１００の上方から箱３００を箱重ね部材１００の内部に挿入するようにして箱３００を箱重ね部材１００に設置する。
【００１２】
これにより、箱積重ね部材１００を介して箱２００の上方に所定の空間を設けて箱３００を積み重ねることができる。所定の空間は、箱積重ね部材１００の縦方向の長さを変えることによりその広さを変えることができる。箱２００に箱２００の上端面から飛び出す大きさの植物等が入れられていた場合に特に箱積重ね部材１００は効果を発揮する。
【００１３】
図１（ｂ）は、本考案の実施の形態における箱積重ね部材１００の斜視図である。箱積重ね部材１００は、前面支持板１０と、後面支持板２０と、右側面支持板３０と、左側面支持板４０と、箱縁挿通部５１および５２とを備える。
【００１４】
前面支持板１０は、箱３００を前面３１０側から支持する板部材である。図１（ａ）において前面支持板１０は、箱３００の前面３１０の上端部に設けられた箱縁３５０の一部である箱縁３５０ａの下端部を支持している。これにより、前面支持板１０は箱３００を前面３１０側から支持することになる。
【００１５】
後面支持板２０は、箱３００を後面３２０側から支持する板部材である。図１（ａ）において後面支持板２０は、箱３００の後面３２０の上端部に設けられた箱縁３５０の一部である箱縁３５０ｂの下端部を支持している。これにより、後面支持板２０は箱３００を後面３２０側から支持することになる。
【００１６】
右側面支持板３０および左側面支持板４０は、それぞれ箱３００を右側面３３０側、左側面３４０側から支持する板部材である。図１（ａ）において右側面支持板３０、左側面支持板４０は、それぞれ箱３００の右側面３３０、左側面３４０の上端部に設けられた箱縁３５０の一部である箱縁３５０ｃ、箱縁３５０ｄの下端部を支持している。これにより、右側面支持板３０、左側面支持板４０はそれぞれ箱３００を右側面３３０側、左側面３４０側から支持することになる。
【００１７】
なお、前面支持板１０は、右側面支持板３０および左側面支持板４０と連結されている。すなわち、前面支持板１０の右側端部は右側面支持板３０の左側端部と連結されており、前面支持板１０の左側端部は左側面支持板４０の右側端部と連結されている。以下において、前面支持板１０と連結された部分を前面支持板連結部と呼ぶこととする。
【００１８】
また、後面支持板２０は、右側面支持板３０および左側面支持板４０と連結されている。すなわち、後面支持板２０の左側端部は右側面支持板３０の右側端部と連結されており、後面支持板２０の右側端部は左側面支持板４０の左側端部と連結されている。以下において、後面支持板２０と連結された部分を後面支持板連結部と呼ぶこととする。
【００１９】
箱縁挿通部５１および５２は、それぞれ前面支持板１０および後面支持板２０の所定の位置に設けられ、箱２００の上端部の外周に設けられた箱縁２５０の一部を挿通させるものである。箱縁挿通部５１は、図１（ａ）および図１（ｂ）に示すように、例えば前面支持板１０の一部を所定の形状に切り抜くことにより形成することができる。所定の形状として、例えば箱２００の前面２１０の上端に設けられた箱縁２５０ａを挿通させることができる長方形形状が想定される。また、箱重ね部材１００を箱２００に取り付けた状態でも箱２００を手で持ちやすくするため、図１（ａ）および図１（ｂ）に示すように長方形形状の箱縁挿通部５１および５２の中央下部付近を長方形形状にさらに切り抜いてもよい。
【００２０】
箱縁挿通部５２も箱縁挿通部５１と同様に説明することができる。すなわち、箱縁挿通部５２は、図１（ａ）および図１（ｂ）に示すように、例えば後面支持板２０の一部を所定の形状に切り抜くことにより形成することができる。所定の形状として、例えば箱２００の後面２２０の上端に設けられた箱縁２５０ｂを挿通させることができる長方形形状が想定される。
【００２１】
なお、図１（ａ）および図１（ｂ）において箱重ね部材１００は、前面支持板１０および後面支持板２０に箱縁挿通部５１および５２が設けられた構造をしているが、これに限るものではない。すなわち、箱重ね部材１００は、右側面支持板３０および左側面支持板４０に箱縁挿通部が設けられた構造であってもよい。前面支持板１０、後面支持板２０、右側面支持板３０および左側面支持板４０のいずれに箱縁挿通部を設けるかは設計事項であり、どのように設けても本考案の範囲内である。
【００２２】
前面支持板１０、後面支持板２０、右側面支持板３０および左側面支持板４０を構成する素材として、例えば段ボールが想定されるがこれに限るものではない。図１（ａ）に示した箱２００および３００のように箱の形状が方形状の場合、本考案の実施の形態における箱重ね部材１００の形状は、断面が方形の筒形の形状とすることが想定される。そして、前面支持板１０、後面支持板２０、右側面支持板３０および左側面支持板４０を構成する素材として段ボールを採用した場合、断面が方形の筒形の形状の箱重ね部材１００の製造は容易になり、同時に箱重ね部材１００の製造コストも安価にすることができる利点がある。
【００２３】
図２は、本考案の実施の形態における箱重ね部材１００における箱縁挿通部５１および５２と箱２００における箱縁２５０との位置関係を説明する図である。図２（ａ）は、本考案の実施の形態における箱重ね部材１００を取り付ける箱２００を示す図である。箱２００は、前面２１０、後面２２０、右側面２３０、左側面２４０、箱縁２５０および底面２６０により構成されている。
【００２４】
箱縁２５０は、前面２１０、後面２２０、右側面２３０および左側面２４０の上端に設けられている。また、箱縁２５０は、前面２１０、後面２２０、右側面２３０および左側面２４０よりも外側に突き出た形状になっている。このため、箱縁２５０の外周は、前面２１０、後面２２０、右側面２３０および左側面２４０より構成される箱内部の外周よりも長くなっている。このように箱縁２５０が構成されているのは、箱２００を持つ際に箱縁２５０の部分を持つようにすることを可能とするためである。
【００２５】
図２（ｂ）は、箱２００に箱重ね部材１００を取り付けた際の箱縁挿通部５１付近を示す図である。箱２００に箱重ね部材１００を取り付けると、箱２００の周りが箱重ね部材１００により覆われる。すなわち、箱２００の前面２１０、（図示しない）後面２２０、右側面２３０および左側面２４０の外側に、それぞれ箱重ね部材１００における前面支持板１０、（図示しない）後面支持板２０、右側面支持板３０および左側面支持板４０が位置するようになる。
【００２６】
また、箱２００に箱重ね部材１００を取り付けると、前面支持板１０の上端に設けられた箱縁２５０ａが箱縁挿通部５１を挿通する。それと同時に、（図示しない）後面支持板２０の上端に設けられた（図示しない）箱縁２５０ｂが（図示しない）箱縁挿通部５２を挿通する。なお、箱縁挿通部５１の横の長さＴは、少なくとも箱２００における箱縁のコーナー部２５１からコーナー部２５２まである必要がある。箱縁挿通部５１の横の長さＴをこのようにすることにより、箱縁２５０ａは箱縁挿通部５１を挿通することが可能となる。箱縁２５０ｂおよび箱縁挿通部５２における横の長さの関係も上記と同様である。次に、箱縁２５０ａおよび箱縁２５０ｂがそれぞれ箱縁挿通部５１および５２を挿通している様子を図２（ｃ）に示す。
【００２７】
図２（ｃ）は、箱２００に箱重ね部材１００を取り付けた様子を右側面支持板３０方向（図２（ｂ）の矢印Ａ方向）から見た図である。上記説明したように箱縁２５０は、前面２１０、後面２２０、右側面２３０および左側面２４０よりも外側に突き出た形状になっているため、箱２００に箱重ね部材１００を取り付けると、箱縁２５０ａおよび２５０ｂは、箱縁挿通部５１および５２を挿通して、前面支持板１０および後面支持板２０を貫くようになる。
【００２８】
箱縁２５０ａおよび箱縁２５０ｂが箱縁挿通部５１および５２を挿通すると、箱縁２５０ａおよび箱縁２５０ｂがストッパの役割を果たすようになる。すなわち、箱重ね部材１００を矢印Ｂ方向に持ち上げても箱重ね部材１００は、箱縁２５０ａおよび箱縁２５０ｂがストッパとなるため、箱２００から離れない。また、箱２００の底面２６０に対して矢印Ｃ方向から力を加えても箱重ね部材１００は、箱縁２５０ａおよび箱縁２５０ｂがストッパとなるため、箱２００から離れない。
【００２９】
図３は、本考案の実施の形態における箱積重ね部材１００を折り畳む様子を示す図である。箱積重ね部材１００は、図３（ａ）に示すように例えば、前面支持板連結部６２および後面支持板連結部６３に対してそれぞれ矢印Ｄ方向、矢印Ｅ方向に所定の力を加えると潰れて偏平になる。すなわち、箱積重ね部材１００は折り畳むことができる。箱積重ね部材１００を折り畳むことが可能な構造とするため、箱積重ね部材１００の材質として、上記説明したように例えば段ボールが想定されるがこれに限るものではない。
【００３０】
図３（ｂ）は、箱積重ね部材１００を折り畳んだ様子を示す図である。箱積重ね部材１００を図３（ａ）で説明したように折り畳むと、前面支持板１０と左側面支持板４０とが重なり合い、後面支持板２０と右側面支持板３０とが重なり合う。なお、図３においては、前面支持板１０と、後面支持板２０と、右側面支持板３０と、左側面支持板４０とは同じサイズのものとして描いてあるが、サイズはこれに限るものではない。さらに、前面支持板連結部６２を境に図３（ｂ）の矢印Ｆ方向に箱積重ね部材１００を折り畳むと、図３（ｃ）で示すように箱積重ね部材１００はコンパクトなサイズになる。
【００３１】
箱積重ね部材１００を折り畳める構造とすることによって、箱積重ね部材１００を使用しない際はコンパクトなサイズにして保管することができるため、箱積重ね部材１００を保管することが容易になるという利点がある。
【００３２】
図４は、本考案の別の実施の形態における箱積重ね部材４００の一例を示す図である。図４（ａ）は、本考案の別の実施の形態における箱積重ね部材４００の斜視図である。箱積重ね部材４００は、前面支持板１０と、後面支持板２０と、右側面支持板３０と、左側面支持板４０と、箱縁挿通部５１および５２と、前面支持板連結部材７１および７２と、後面支持板連結部材７３および７４とを備える。
【００３３】
なお、箱積重ね部材４００において図１に示した箱積重ね部材１００と同じ機能を有する部分については同じ符号を用いている。また、同じ符号を用いたものに関しては図１で説明済みであるためその説明は省略する。
【００３４】
箱積重ね部材４００と箱積重ね部材１００との相違点は、前面支持板１０と右側面支持板３０および左側面支持板４０との連結の態様、並びに後面支持板２０と右側面支持板３０および左側面支持板４０との連結の態様である。すなわち、箱積重ね部材４００は、前面支持板連結部材７１および７２と、後面支持板連結部材７３および７４とによって、前面支持板１０と右側面支持板３０および左側面支持板４０との連結、並びに後面支持板２０と右側面支持板３０および左側面支持板４０との連結を行っている。
【００３５】
図４（ｂ）は、図４（ａ）における楕円Ｇの部分の拡大図である。前面支持板連結部材７１は、筒部材７１ａとピン７１ｂにより構成されている。例えば前面支持板１０の側端部に円筒形状の筒部材７１ａを設け、左側面支持板４０の側端部に円柱形状のピン７１ｂを設ける。そして、筒部材７１ａにピン７１ｂを挿入することによって前面支持板１０と左側面支持板４０とはその側端部において連結される。それと同時に、ピン７１ｂを支点として前面支持板１０と左側面支持板４０とは回動可能となる。すなわち、図３で説明した箱積重ね部材１００と同様に箱積重ね部材４００も折り畳み可能な構造となる。
【００３６】
前面支持板連結部材７２、後面支持板連結部材７３および７４も上記前面支持板連結部材７１と同様の構造である。なお、図４に示した箱積重ね部材４００の場合、箱積重ね部材４００の材質として例えばプラスチック等の硬質な材質とすることが想定される。また、透明なプラスチック材を材質として用いると外部から箱に収容された内容物を見ることが可能になる。
【００３７】
このように、本考案の実施の形態における箱積重ね部材１００および４００によれば、箱２００に箱３００を重ねる場合に箱２００の上方に所定の空間を設けることができるため、箱２００に箱２００の上端面から飛び出す大きさの植物等が入れられていた場合に特に効果的である。また、本考案の実施の形態における箱積重ね部材１００および４００を折り畳み可能な構造とすることによって、箱積重ね部材１００および４００を保管することが容易になる。
【００３８】
なお、本考案の実施の形態では、箱２００に箱３００を重ねるというように２つの箱を重ねる場合を想定して説明したが、本考案の実施の形態における箱積重ね部材１００および４００を複数用いることによって、３つ以上の箱を積重ねることができる。
【００３９】
なお、本考案の実施の形態は本考案を具現化するための一例を示したものであり、これに限定されるものではなく本考案の要旨を逸脱しない範囲において種々の変形を施すことができる。
【産業上の利用可能性】
【００４０】
本考案の活用例として、箱の上端面から飛び出す大きさの植物等が入れられている箱に別の箱を積み重ねる場合に適用することができる。
【図面の簡単な説明】
【００４１】
【図１】本考案の実施の形態における箱重ね部材１００の一例を示す図である。
【図２】本考案の実施の形態における箱重ね部材１００における箱縁挿通部５１および５２と箱２００における箱縁２５０との位置関係を説明する図である。
【図３】本考案の実施の形態における箱積重ね部材１００を折り畳む様子を示す図である。
【図４】本考案の別の実施の形態における箱積重ね部材４００の一例を示す図である。
【符号の説明】
【００４２】
１０  前面支持板
２０  後面支持板
３０  右側面支持板
４０  左側面支持板
５１、５２  箱縁挿通部
６１、６２  前面支持板連結部
６３、６４  後面支持板連結部
７１、７２  前面支持板連結部材
７１ａ  筒部材
７１ｂ  ピン
７３、７４  後面支持板連結部材
１００、４００  箱重ね部材
２００、３００  箱
【図１】
0003133494.tif 000003
【図２】
0003133494.tif 000004
【図３】
0003133494.tif 000005
【図４】
0003133494.tif 000006